(57)【要約】【課題】印刷広告紙を壁面に貼って掲示するための紙片ファイルを安価に量産する。【解決手段】透明のプラスチックシートからなる広幅のシート原反１０を連続的に移送しながら、これの幅方向中央領域に再剥離性の粘着剤を塗布して粘着剤層５をシート原反１０の長手方向にわたって形成する。シート原反１０の粘着剤層５上に、該粘着剤層５と実質的に同幅の剥離紙原反１５を重ね貼りする。シート原反１０の幅方向中央をはさんでシート原反１０から左右一対のシート基材２を打ち抜く。打ち抜かれた各シート基材２の右半部２ｂの裏面側には、粘着剤層５および剥離紙原反１５からの剥離紙６が積層されている。この各シート基材２は、右半部２ｂの上面側に左半部２ａが重なるように二つ折りする。二つ折りされたシート基材２の左半部２ａと右半部２ｂとの上下縁部分をそれぞれ熱溶着する。【選択図】        図７
2004338187.tif 000002
【特許請求の範囲】
【請求項１】
透明のプラスチックシートからなる広幅のシート原反１０を連続的に移送しながら、これの幅方向中央領域に再剥離性の粘着剤を塗布して粘着剤層５をシート原反１０の長手方向にわたって形成する工程と、
シート原反１０の粘着剤層５上に、これを被覆するように剥離紙原反１５を重ね貼りする工程と、
シート原反１０の幅方向中央をはさんでシート原反１０から剥離紙原反１５ごと左右一対のシート基材２を打ち抜く工程と、
打ち抜かれた各シート基材２を、裏面側に粘着剤層５および剥離紙原反１５からの剥離紙６を有する右半部２ｂの上面側に左半部２ａが重なるように二つ折りする工程と、
二つ折りされたシート基材２の左半部２ａと右半部２ｂとの上下縁部分をそれぞれ熱溶着する工程とを経て、
シート基材２の左半部２ａと右半部２ｂとの間に、右側方から紙片７を出し入れ可能に差し込めるようにした紙片ファイルの製造方法。
【請求項２】
紙片７が、印刷広告紙である請求項１記載の紙片ファイルの製造方法。
【請求項３】
シート原反１０からシート基材２を打ち抜く際に、シート基材２の左右方向中央にシート基材２を二つ折りするための折り線１６を加工してある請求項１記載の紙片ファイルの製造方法。
【発明の詳細な説明】
【０００１】
【発明の属する技術分野】
本発明は、店頭ないし店内のガラス面などを含む壁面に印刷広告紙などの紙片を貼り付けて掲示する際に、紙片を挟み込むのに用いる透明の紙片ファイルに関する。
【０００２】
【従来の技術】
いわゆる広告用びらの類は、店頭などの適当な場所にセロファンテープで貼ったり、ピンで止めたりして掲示されている。その際、びら即ち紙片を透明の紙片ファイルに挟み込むことは、紙片を汚れから保護し、紙片を差し替え可能とするうえで有意義であり、一般的に行われている。
【０００３】
紙片を出し入れ可能に挟み込めるようにした紙片ファイルにおいて、その一側面に剥離紙付きの粘着剤層を形成しておき、この粘着剤層を介して紙片ファイルの全体を対象物に剥離可能に貼付する形態は、特許文献１や特許文献２に公知である。
【０００４】
このうち特許文献２の紙片ファイルでは、プラスチック製の透明フィルムを長手方向に二つ折りした透明フィルムを連続的に繰り出しながら、二つ折りフィルムを一定間隔置きに幅方向にわたって熱溶着し、その一側面に粘着側層を塗布形成する一方、他側面にシリコン剥離層を塗布してロール巻きする。そして、各熱溶着部にミシン目線を入れてある。これによれば、ロール巻きした紙片ファイルを繰り出して単位の紙片ファイルごとに切り離し、例えば送り伝票などを差し入れて梱包用のダンボール箱の外表面にベタ貼りする用途などに供することができる。
【０００５】
【特許文献１】
実開昭６０−８０８２号公報（請求項１、第２図）
【特許文献２】
実開昭４９−４６８１２号公報（実用新案登録請求の範囲、第１図）
【０００６】
【発明が解決しようとする課題】
しかし、特許文献２の紙片ファイルは、粘着剤層の外面に剥離紙が被覆されていないので、単位の各紙片ファイルを１枚ごとに保管したり、再剥離性の粘着剤層を利用して壁面に繰り返し貼り替えたりすることができない。先の粘着剤層の塗布形成工程を経たのち、粘着剤層上に長尺の剥離紙を重ね貼りすることは可能であろうが、剥離紙が介在するので各紙片ファイルごとに前記ミシン目線で切り離すのが困難である。切り離したラインがギザギザになるなどして、外観上の体裁も悪くなり、店頭や店内の壁面に印刷広告紙を掲示するのに不向きである。かと言って、切り離した各紙片ファイルの粘着剤層上に剥離紙をいちいち貼り合わす作業も面倒である。
【０００７】
そこで本発明の目的は、印刷広告紙の類を入れた状態で粘着剤層を介して各種の壁面に貼り付けるのに適った紙片ファイルを得るにある。本発明の目的は、粘着剤層に剥離紙が被覆された端正な紙片ファイルを安価に量産できる製造方法を提供することにある。
【０００８】
【課題が解決するための手段】
本発明に係る紙片ファイルの製造方法は、図４に示すごとく透明のプラスチックシートからなる広幅のシート原反１０を連続的に移送しながら、これの幅方向中央領域に再剥離性の粘着剤を塗布して粘着剤層５をシート原反１０の長手方向にわたって形成する工程と、シート原反１０の粘着剤層５上に、これを被覆するように剥離紙原反１５を重ね貼りする工程と、図６に示すごとくシート原反１０の幅方向中央をはさんでシート原反１０から剥離紙原反１５ごと左右一対のシート基材２を打ち抜く工程と、図７に示すごとく打ち抜かれた各シート基材２を、裏面側に粘着剤層５および剥離紙原反１５からの剥離紙６を有する右半部２ｂの上面側に左半部２ａが重なるように二つ折りする工程と、二つ折りされたシート基材２の左半部２ａと右半部２ｂとの上下縁部分をそれぞれ熱溶着する工程とからなる。かくして、シート基材２の左半部２ａと右半部２ｂとの間に、右側方から紙片７を出し入れ可能に差し込めるようにした紙片ファイルを製造する。
【０００９】
紙片７の代表的な具体例としては、印刷広告紙を挙げることができる。シート原反１０からシート基材２を打ち抜く際に、シート基材２の左右方向中央にシート基材２を二つ折りするための折り線１６が加工されていると、次の二つ折り工程が容易正確に行える。
【００１０】
【発明の作用効果】
本発明によれば、シート原反１０の幅方向中央領域に粘着剤層５を塗布形成し、この粘着剤層５上に予め剥離紙原反１５を重ね貼りしたのち、シート原反１０を剥離紙原反１５ごと打ち抜いてシート基材２を得る。従って、以後はシート基材２を二つ折りして上下縁部分を熱溶着するだけで紙片ファイル１をつくることができる。シート基材２は、シート原反１０を剥離紙原反１５ごと打ち抜いて形成されるので、全体の外周縁形状が剥離紙６を含めて端正に仕上がる。紙片ファイル１の粘着剤層５に剥離紙６を後貼りする面倒な作業も要しない。シート原反１０からは、左右一対のシート基材２が同時に打ち抜き形成されるので、全体として紙片ファイル１を安価に量産できる。
【００１１】
【発明の実施の形態】
図１ないし図３は製造対象の紙片ファイル１を示しており、Ａ４判の大きさを予測している。符号２は熱可塑性の透明プラスチックシート、具体的には比較的硬質で０．０５〜０．２ｍｍ厚のポリエチレンテレフタレート製のシート基材である。
シート基材２は、左右横長の長方形を呈している。シート基材２は、左右方向中央において二つ折りされ、上下に折り重なる上側の左半部２ａと、下側の右半部２ｂとの上端周縁部および下端周縁部がそれぞれ熱溶着され（符号３が熱溶着部を示す）、右半部２ｂの外側裏面に再剥離性の粘着剤層５が塗布形成され、粘着剤層５上に剥離紙６が剥離自在に貼付されている。
【００１２】
シート基材２は、図において右側方のみが紙片７の差し込み口９として開口している。紙片７としては、印刷広告紙がこれに該当する。シート基材２の表裏をなす左半部２ａと右半部２ｂとの間に紙片７を差し込み口９から差し入れ、剥離紙６を剥いだのち、全体を粘着剤層５で壁面などに貼り付けることができる。粘着剤層５は、貼付対象に転移付着せず、何度でも貼り付け可能な公知の再剥離性粘着剤で構成されている。
【００１３】
本発明に係る紙片ファイルは、次の工程を順に経て製造される。まず第１に、図４に示すごとくロール巻きされたシート基材２のシート原反１０を連続的に送り出しながら、ロールコータ１２でシート原反１０の一側面の幅方向中央領域に粘着剤５ａをシート長手方向にわたって連続的に塗布して粘着剤層５を形成する。
【００１４】
第２に、図４に示すごとくシート原反１０をラミネータ１３に通し、ロール巻きした剥離紙原反１５をラミネータ１３に案内し、シート原反１０の幅方向中央領域に先の粘着剤層５と同幅の剥離紙原反１５を粘着剤層５上に重ね貼りして被覆し、いったんロール巻きする。図５は、この重ね貼り状態でのシート原反１０を示す。
【００１５】
第３に、剥離紙原反１５が重ね貼りされたシート原反１０を間欠的に繰り出し、このシート原反１０から図６に示すごとくこれの幅方向中央をはさんで左右一対のシート基材２を左右横長の長方形状に打ち抜く。説明の都合上、左右一対で２枚のシート基材２を同時に打ち抜くとしたが、必要に応じてシート基材２は４枚または６枚を同時に打ち抜いてもよい。
【００１６】
図７は打ち抜かれた各シート基材２を示しており、これの左右方向中央に折り線１６が上下幅方向にわたって予め形成されている。具体的には、断面Ｖ字形の溝からなる折り線１６がシート基材２の上面側に凹み形成されている。この折り線１６は先の打ち抜き工程において入れておく。
【００１７】
シート基材２は、この折り線１６をはさんで左半部２ａと右半部２ｂとからなる左右横長の展開状態にあり、図７に示すごとく右半部２ｂの下側裏面に粘着剤層５、ついで剥離紙原反１５から打ち抜かれた剥離紙６が積層されている。
【００１８】
第４に、打ち抜かれた各シート基材２は、図７の仮想線で示すごとく右半部２ｂの上側表面に左半部２ａが重なるように折れ線１６を介して正しく二つ折りする。
【００１９】
最後に、二つ折りした各シート基材２の左半部２ａと右半部２ｂとの上端周縁部および下端周縁部をそれぞれ熱溶着することにより、図１ないし図３に示すごとく右側方のみが紙片７の差し込み口９として開口するＡ４判の製品・紙片ファイル１をつくった。なお、熱溶着工程において、シート基材２の右半部２ｂに対して剥離紙６が熱溶着されることはなく、剥離紙６の剥離性に何等の障害とはならない。
【００２０】
更に必要に応じて、先の熱溶着工程を経たのち、紙片ファイル１の上下には、図１に示すごとく左右に図上２個ずつ抜き孔１７を打ち抜き加工した。これによれば、壁面に対し抜き孔１７を利用して押しピンで紙片ファイル１を止めることができる。この抜き孔１７の数や位置は任意に選べる。
【００２１】
（産業上の利用分野）  本発明に係る紙片ファイル１は、これに印刷広告紙（紙片７）を入れ替え可能に差し込み、剥離紙６を剥いだのち粘着剤層５を介して店頭や店内の各種壁面に貼ることにより、各種情報の告知をすることができる。家庭内においても、紙片ファイル１に連絡事項を記した紙片７を入れて、例えば冷蔵庫の扉に貼るなどの使用形態を採ることができる。
【００２２】
先の打ち抜き工程においては、シート原反１０の幅方向中央ライン上で左右のシート基材２を分離するよう切断してもよい。熱溶着工程において、シート基材２の二つ折り線部分を加熱下で折り癖を付けてもよい。紙片ファイル１はＢ５判でもよく、具体的な形状および大きさは特に限定されない。粘着剤層５はシート基材２の右半部２ｂの裏面全体に形成されていてもよいし、剥離紙原反１５の左右幅は粘着剤層５のそれよりも大きく寸法設定されていてもよい。
【図面の簡単な説明】
【図１】紙片ファイルの正面図
【図２】紙片ファイルの縦断側面図
【図３】紙片ファイルの横断平面図
【図４】シート原反に粘着剤層を塗布したのち剥離紙原反を重ね貼りするまでの工程を説明する概略図
【図５】剥離紙原反が重ね貼りされたシート原反の斜視図
【図６】打ち抜き工程を説明する平面図
【図７】打ち抜かれたシート基材の縦断面図
【符号の説明】
１  紙片ファイル
２  シート基材
２ａ  シート基材の左半部
２ｂ  シート基材の右半部
３  熱溶着部
５  粘着剤層
６  剥離紙
７  紙片
９  差し込み口
１０  シート原反
１５  剥離紙原反
【図１】
2004338187.tif 000003
【図２】
2004338187.tif 000004
【図３】
2004338187.tif 000005
【図４】
2004338187.tif 000006
【図５】
2004338187.tif 000007
【図６】
2004338187.tif 000008
【図７】
2004338187.tif 000009